(57)【要約】【課題】特に、ダイヤフラム弁を扱う場合について、バルブのメンテナンス作業の効率を改善する。【解決手段】少なくとも計測値データ記憶部１と診断指標算出部３と診断指標提示部４とを設ける。計測値データ記憶部１には、バルブの開度を計測する開度計測部２１からの開度計測値データＤ１が記憶される。診断指標算出部３は、開度計測値データＤ１に基づいて、バルブが全閉とされたことを認識してからの弁体（ダイヤフラム）の閉方向への食い込み量に関する情報をバルブの診断指標Ｓとして算出する。診断指標提示部４は、算出されたバルブの診断指標Ｓを提示する。【選択図】  図１
2019046028.tif 000002
【特許請求の範囲】
【請求項１】
弁体としてダイヤフラムが用いられた、流体の流れを調節するバルブのメンテナンス作業を支援するバルブメンテナンス支援装置であって、
前記バルブの開度を計測する開度計測部から送信されてくる開度計測値データを記憶する計測値データ記憶部と、
前記計測値データ記憶部に記憶されている前記開度計測値データに基づいて前記バルブが全閉とされたことを認識してからの前記弁体の閉方向への食い込み量に関する情報を前記バルブの診断指標として算出する診断指標算出部と、
前記診断指標算出部によって算出された前記バルブの診断指標を提示する診断指標提示部と
を備えることを特徴とするバルブメンテナンス支援装置。
【請求項２】
請求項１に記載されたバルブメンテナンス支援装置において、
前記診断指標算出部は、
前記バルブが全閉とされたことを認識してから第１規定時間が経過した時点での前記開度計測値データを第１の開度計測値データとし、前記第１規定時間の経過後、そのまま開閉がなく第２規定時間が経過した時点での前記開度計測値データを第２の開度計測値データとし、前記第１の開度計測値データと前記第２の開度計測値データとの差を前記弁体の閉方向への食い込み量とし、この食い込み量を前記バルブの診断指標として算出する
ことを特徴とするバルブメンテナンス支援装置。
【請求項３】
請求項１又は２に記載されたバルブメンテナンス支援装置において、
前記診断指標に対する正常範囲の下限値を診断指標閾値として記憶する閾値記憶部と、
前記診断指標算出部によって算出された前記バルブの診断指標が前記診断指標閾値以下であった場合にそのバルブをメンテナンスが必要なバルブであると判定する判定部と、
前記判定部によってメンテナンスが必要と判定されたバルブを提示する判定結果提示部と
を備えることを特徴とするバルブメンテナンス支援装置。
【請求項４】
請求項１〜３の何れか１項に記載されたバルブメンテナンス支援装置において、
前記診断指標提示部は、
前記バルブの診断指標と合わせて、この診断指標がそのバルブの弁体のメンテナンスを対象としていることを提示する
ことを特徴とするバルブメンテナンス支援装置。
【請求項５】
請求項１〜４の何れか１項に記載されたバルブメンテナンス支援装置において、
メンテナンスの候補のバルブとして登録された、弁体としてダイヤフラムが用いられたバルブの識別情報を記憶するバルブ識別情報記憶部を備え、
前記計測値データ記憶部は、
前記メンテナンスの候補のバルブを含む複数のバルブを計測対象とし、この計測対象のバルブ毎にそのバルブの識別情報と対応づけて、前記開度計測値データを記憶し、
前記診断指標算出部は、
前記バルブ識別情報記憶部に記憶されている前記メンテナンスの候補のバルブの識別情報を読み出し、この読み出した識別情報と対応づけて前記計測値データ記憶部に記憶されている前記開度計測値データに基づいて、前記メンテナンスの候補のバルブ毎に前記診断指標を算出する
ことを特徴とするバルブメンテナンス支援装置。
【請求項６】
弁体としてダイヤフラムが用いられた、流体の流れを調節するバルブのメンテナンス作業を支援するバルブメンテナンス支援方法であって、
前記バルブの開度を計測する開度計測部から送信されてくる開度計測値データをメモリに記憶させる計測値データ記憶ステップと、
前記メモリに記憶されている前記開度計測値データに基づいて、前記バルブが全閉とされたことを認識してからの前記弁体の閉方向への食い込み量に関する情報を前記バルブの診断指標として算出する診断指標算出ステップと、
前記診断指標算出ステップによって算出された前記バルブの診断指標を提示する診断指標提示ステップと
を備えることを特徴とするバルブメンテナンス支援方法。
【発明の詳細な説明】
【技術分野】
【０００１】
本発明は、流体の流れを調節するバルブのメンテナンス作業を支援するバルブメンテナンス支援装置および方法に関する。
【背景技術】
【０００２】
従来より、石油、化学系のプラントなどで使用されるバルブは、特に安全性に留意する必要があり、このため定期的なメンテナンスが行われる。図８に、石油、化学系のプラントなどで使用されるバルブ（コントロールバルブ）の一例を示す。
【０００３】
このバルブ１００は、バルブ本体１０１と、ポジショナ１０２と、操作器１０３とを備えている。操作器１０３は、スプリング形ダイヤフラム構造とされており、ポジショナ１０２から供給される空気圧Ｐｏに応じてダイヤフラム（操作器のダイヤフラム）１０３ａをスプリング１０３ｂの力に抗して変位させることにより、弁軸（ステム）１０４を上下動させて、バルブの開度（弁体１０５とシートリング１０６との間の隙間）を調節する。ポジショナ１０２は、弁軸１０４に連結されたフィードバックレバー１０７の回転角度位置から弁軸１０４のリフト位置、すなわちバルブの実開度を検出し、この検出した実開度と設定開度との差に応じた空気圧Ｐｏを操作器１０３へ供給する。
【０００４】
なお、図８に示したバルブ１００は、操作器１０３として逆作動操作器を用いているが、正作動操作器が用いられる場合もある。逆作動操作器は、スプリングの力でバルブの開度を閉方向に付勢し、正作動操作器は、スプリングの力でバルブの開度を開方向に付勢する。また、図８に示したバルブ１００では、空気圧によって操作器１０３を作動させているが、油圧によって操作器１０３を作動させるタイプもある。
【０００５】
また、図８に示したバルブ１００（１００Ａ）では、弁体１０５とシートリング１０６との間の隙間をバルブの開度として調節しているが、図９に示すように、弁体としてダイヤフラム（弁体のダイヤフラム）１０５’を用い、このダイヤフラム１０５’を弁軸１０４の上下動によって変位させることによって、ダイヤフラム１０５’と流路との間の隙間をバルブの開度として調節するバルブ１００（１００Ｂ）もある。このようなタイプのバルブ１００（１００Ｂ）をダイヤフラム弁と呼んでいる。
【０００６】
このようなバルブが設置されているプラントなどでは、多数のバルブを効率良くメンテナンスする必要があり、そのメンテナンス作業の効率を改善するために、バルブスティックスリップ検出（例えば、特許文献１参照）、バルブハンチング検出（例えば、特許文献２参照）、バルブスケール付着検出（例えば、特許文献３参照）などの手法が提案されている。
【先行技術文献】
【特許文献】
【０００７】
【特許文献１】特許第３２５４６２４号公報
【特許文献２】特開２０１５−１１４９４２号公報
【特許文献３】特開２０１５−１１４９４３号公報
【発明の概要】
【発明が解決しようとする課題】
【０００８】
しかしながら、安全性やメンテナンス作業の効率については、完全とか十分とか言える上限は無い。石油、化学系のプラントなどでは多数のバルブが使用されるので、メンテナンス作業の効率については、さらなる改善が求められている。
【０００９】
本発明は、このような課題を解決するためになされたもので、その目的とするところは、特に、ダイヤフラム弁を扱う場合について、バルブのメンテナンス作業の効率を改善することができるバルブメンテナンス支援装置および方法を提供することにある。
【課題を解決するための手段】
【００１０】
このような目的を達成するために本発明は、弁体としてダイヤフラム（１０５’）が用いられた、流体の流れを調節するバルブ（１００Ｂ）のメンテナンス作業を支援するバルブメンテナンス支援装置（２００）であって、バルブの開度（θ）を計測する開度計測部（２１）から送信されてくる開度計測値データ（Ｄ１）を記憶する計測値データ記憶部（１）と、計測値データ記憶部に記憶されている開度計測値データに基づいてバルブが全閉とされたことを認識してからの弁体の閉方向への食い込み量（δ）に関する情報をバルブの診断指標（Ｓ）として算出する診断指標算出部（３）と、診断指標算出部によって算出されたバルブの診断指標を提示する診断指標提示部（４）とを備えることを特徴とする。
【００１１】
この発明において、計測値データ記憶部には、開度計測部からの開度計測値データが記憶される。診断指標算出部は、計測値データ記憶部に記憶されている開度計測値データに基づいて、バルブが全閉とされたことを認識してからの弁体の閉方向への食い込み量に関する情報をバルブの診断指標として算出する。
【００１２】
例えば、バルブが全閉とされたことを認識してから第１規定時間が経過した時点での開度計測値データを第１の開度計測値データとし、第１規定時間の経過後、そのまま開閉がなく第２規定時間が経過した時点での開度計測値データを第２の開度計測値データとし、第１の開度計測値データと第２の開度計測値データとの差を弁体の閉方向への食い込み量とし、この食い込み量をバルブの診断指標として算出する。この算出されたバルブの診断指標は、弁体のダイヤフラムの劣化を示す指標として、オペレータに提示される。
【００１３】
なお、上記説明では、一例として、発明の構成要素に対応する図面上の構成要素を、括弧を付した参照符号によって示している。
【発明の効果】
【００１４】
以上説明したように、本発明によれば、計測値データ記憶部に記憶されている開度計測値データに基づいて、バルブが全閉とされたことを認識してからの弁体の閉方向への食い込み量に関する情報がバルブの診断指標として算出され、この算出された診断指標が弁体のダイヤフラムの劣化を示す指標としてオペレータに提示されるものとなり、特に、ダイヤフラム弁を扱う場合について、バルブのメンテナンス作業の効率を改善することができるようになる。
【図面の簡単な説明】
【００１５】
【図１】図１は、本発明の実施の形態１に係るバルブメンテナンス支援装置の要部の構成を示すブロック図である。
【図２】図２は、このバルブメンテナンス支援装置の計測値データ記憶部に開度計測値データが蓄積されて行く様子を示すフローチャートである。
【図３】図３は、このバルブメンテナンス支援装置の動作を説明するためのフローチャートである。
【図４】図４は、メンテナンス対象のプラントのバルブ配置の一例を示すイメージ図である。
【図５】図５は、弁体のダイヤフラムに劣化が生じた場合の食い込み量の変化を説明する図である。
【図６】図６は、メンテナンス候補のバルブの診断指標の表示例を示す図である。
【図７】図７は、本発明の実施の形態２に係るプラントとその機器管理システムの構成（実施の形態１の実装例）を例示する図である。
【図８】図８は、コントロールバルブの一例を示す図である。
【図９】図９は、ダイヤフラム弁の要部を示す図である。
【発明を実施するための形態】
【００１６】
〔発明の原理〕
ダイヤフラム弁は、主な用途して、腐食性の高い薬品を扱うような場合に用いられる。このため、弁体のダイヤフラム（ゴム系材料）の劣化に留意する必要がある。このとき、ダイヤフラムの劣化としてはゴム系材料の硬化なので、バルブの閉止（着座）からの微妙な開度変化（食い込み量）によって、硬化を推定できることに着眼した。
【００１７】
この場合、食い込み量検出については、全閉と認識してから第１規定時間（例えば、３０秒）経過した最初の点をゼロ点（第１規定時間経過後のゼロ点）と算出し、さらに、そのまま開閉がなく第２規定時間（例えば、翌日までの時間）経過した最初の点をゼロ点（第２規定時間経過後のゼロ点）と算出することで、この差を食い込み量とすることができる。そして、食い込み量に関する情報を、診断指標としてオペレータに提示することで、ダイヤフラムの劣化推定ができるようになることに想到した。これにより、特に、ダイヤフラム弁を扱う場合について、バルブのメンテナンス作業の効率を改善することができるようになる。
【００１８】
〔実施の形態１〕
以下、本発明の実施の形態を図面に基づいて詳細に説明する。図１は本発明の実施の形態１に係るバルブメンテナンス支援装置の要部の構成を示すブロック図である。ここでは、説明を簡潔にするため、バルブのＩＤ（識別情報）の事例などは、実際のプラントで利用されるものよりもシンプルなものにする。
【００１９】
本実施の形態のバルブメンテナンス支援装置２００は、プロセッサや記憶装置からなるハードウェアと、これらのハードウェアと協働して各種機能を実現させるプログラムとによって実現され、計測値データ記憶部１と、バルブＩＤ記憶部２と、診断指標算出部３と、診断指標提示部４と、判定部５と、閾値記憶部６と、判定結果提示部７とを備えている。
【００２０】
このバルブメンテナンス支援装置２００において、計測値データ記憶部１には、プラントで使用されているバルブ１００の開度計測部２１から送信されてくる開度計測値データＤ１が記憶される。
【００２１】
すなわち、プラントで使用されているバルブ１００は、そのバルブの開度θを計測する開度計測部２１を備えている。開度計測部２１は、計測したバルブの開度θを開度計測値データＤ１としてバルブメンテナンス支援装置２００へ送信する。
【００２２】
バルブメンテナンス支援装置２００は、図２にそのフローチャートを示すように、開度計測部２１からの開度計測値データＤ１を受信すると（ステップＳ１０１のＹＥＳ）、その受信した開度計測値データＤ１を計測値データ記憶部１に記憶させる（ステップＳ１０２）。
【００２３】
なお、本実施の形態において、計測値データ記憶部１には、バルブ１００の開度計測部２１から開度計測値データＤ１が周期的に送信され、時系列データとして蓄積されて行くものとする。また、本実施の形態において、プラントにはバルブ１００が多数設置されており、これらのバルブ１００（１００−１〜１００−Ｎ）からの開度計測値データＤ１（Ｄ１1〜Ｄ１N）が、そのバルブのＩＤと対応づけて計測値データ記憶部１に蓄積されて行くものとする。
【００２４】
以下、図３に示すフローチャートを参照しながら、このバルブメンテナンス支援装置２００の動作について各部の機能を交えながら具体的に説明する。
【００２５】
オペレータは、プラントに設置されているバルブ１００−１〜１００−Ｎを計測対象とし、この計測対象のバルブ１００−１〜１００−Ｎの中からメンテナンスの候補のバルブを定め、このメンテナンスの候補のバルブを登録する（ステップＳ２０１）。この場合、メンテナンスの候補のバルブとして登録されたバルブのＩＤ（以下、バルブＩＤとも呼ぶ。）が、バルブメンテナンス支援装置２００のバルブＩＤ記憶部２に記憶される。
【００２６】
例えば、プラント内にバルブ１００が２６個あるとして、これら２６個のバルブ１００にそれぞれ“Ａ”，“Ｂ”，“Ｃ”，・・・，“Ｍ”，・・・，“Ｘ”，“Ｙ”，“Ｚ”という固有のＩＤが予め割り当てられているものとする。バルブＡ，Ｍ，Ｃをメンテナンスの候補のバルブと定めた場合、オペレータはバルブＩＤとして“Ａ”，“Ｍ”，“Ｃ”を入力する。本実施の形態では、特にバルブＡ，Ｍ，Ｃが腐食性の高い薬品を扱うダイヤフラム弁であり、特定の定期プラントメンテナンスにおいて最優先のメンテナンス対象として選定されるものと仮定する。
【００２７】
図４はメンテナンス対象のプラントのバルブ配置の一例を示すイメージ図である。本実施の形態では、バルブＩＤ“Ａ”，“Ｍ”のバルブ１００−Ａ（バルブＡ），１００−Ｍ（バルブＭ）が流路ＩＤ“１”の流路１１−１に配設され、バルブＩＤ“Ｃ”のバルブ１００−Ｃ（バルブＣ）が流路ＩＤ“３”の流路１１−３に配設されているものとする。図４における１２−Ａ，１２−Ｃ，１２−Ｍは流量計測器、１３はタンク、１４は圧力発信器である。なお、図４では、バルブＩＤが“Ａ”，“Ｃ”，“Ｍ”以外のバルブについては記載を省略している。
【００２８】
診断指標算出部３は、診断指標の算出指示があると（ステップＳ２０２のＹＥＳ）、バルブＩＤ記憶部２に記憶されているメンテナンスの候補のバルブのＩＤ“Ａ”，“Ｃ”，“Ｍ”を読み出し（ステップＳ２０３）、この読み出したバルブＩＤ“Ａ”，“Ｃ”，“Ｍ”と対応づけて計測値データ記憶部１に記憶されている開度計測値データＤ１を読み出す（ステップＳ２０４）。
【００２９】
そして、診断指標算出部３は、計測値データ記憶部１から読み出した開度計測値データＤ１に基づいて、バルブＡ，Ｃ，Ｍが全閉とされたことを認識してからの弁体（ダイヤフラム）の閉方向への食い込み量δに関する情報をバルブＡ，Ｃ，Ｍの診断指標Ｓ（ＳA，ＳC，ＳM）として算出する（ステップＳ２０５）。
【００３０】
本実施の形態では、ステップＳ２０５において、バルブＡ，Ｃ，Ｍのそれぞれについて、バルブが全閉とされたことを認識（例えば、最小開度付近で弁軸が停止）してから第１規定時間Ｔ１（例えば、３０秒）が経過した時点での開度計測値データＤ１（Ｄ１1）を第１の開度計測値データとし、第１規定時間Ｔ１の経過後、そのまま開閉がなく第２規定時間Ｔ２（例えば、翌日までの時間）が経過した時点での開度計測値データＤ１（Ｄ１2）を第２の開度計測値データとし、第１の開度計測値データＤ１1と第２の開度計測値データＤ１2との差を弁体（ダイヤフラム）の閉方向への食い込み量δとし、この食い込み量δをバルブの診断指標Ｓとして算出する。
【００３１】
図５に、特性Ｉとして、弁体（ダイヤフラム）に劣化がない場合（健全な場合）のバルブ閉時の開度θ（開度計測値データＤ１）の変化を示し、特性IIとして、弁体（ダイヤフラム）に劣化が生じている場合のバルブ閉時の開度θ（開度計測値データＤ１）の変化を示す。
【００３２】
特性Ｉの場合、ｔ１時点で全閉と認識され（入力０％時の開度）、全閉と認識されてから第１規定時間Ｔ１が経過したｔ２時点（全閉と判断された時点）で、その時の開度計測値データＤ１が第１の開度計測値データＤ１1として取得される。そして、そのまま開閉がなく第２規定時間Ｔ２が経過した時点ｔ３で、その時の開度計測値データＤ１が第２の開度計測値データＤ１2として取得される。そして、第１の開度計測値データＤ１1と第２の開度計測値データＤ１2との差が食い込み量δ（δ１）として求められ、この食い込み量δ（δ１）がバルブの診断指標Ｓとされる。
【００３３】
特性IIの場合も、特性Ｉの場合と同様、ｔ１時点で全閉と認識され（入力０％時の開度）、全閉と認識されてから第１規定時間Ｔ１が経過したｔ２時点（全閉と判断された時点）で、その時の開度計測値データＤ１が第１の開度計測値データＤ１1として取得される。そして、そのまま開閉がなく第２規定時間Ｔ２が経過した時点ｔ３で、その時の開度計測値データＤ１が第２の開度計測値データＤ１2として取得される。そして、第１の開度計測値データＤ１1と第２の開度計測値データＤ１2との差が食い込み量δ（δ２）として求められ、この食い込み量δ（δ２）がバルブの診断指標Ｓとされる。
【００３４】
特性Ｉと特性IIとを比較して分かるように、弁体（ダイヤフラム）に劣化がない場合（健全な場合）は食い込み量δが大きいが、弁体（ダイヤフラム）に劣化が生じてくると食い込み量δが小さくなる。本実施の形態では、この弁体（ダイヤフラム）の食い込み量δを診断指標Ｓとする。
【００３５】
診断指標算出部３で算出された診断指標Ｓ（ＳA，ＳC，ＳM）は診断指標提示部４へ送られる。診断指標提示部４は、診断指標算出部３からの診断指標Ｓをオペレータに提示する（ステップＳ２０６）。例えば、図６に診断指標の提示領域を＃１として示すように、メンテナンスの候補のバルブＡ，Ｃ，Ｍに対応づけて、すなわちメンテナンスの候補のバルブのＩＤ“Ａ”，“Ｃ”，“Ｍ”に対応づけて、診断指標算出部３で算出された診断指標ＳA，ＳC，ＳMの数値をディスプレイに表示する。
【００３６】
この際、図６に診断対象部分の提示領域を＃２として示すように、診断指標の提示領域＃１に提示（表示）されている診断指標ＳA，ＳC，ＳMがバルブＡ，Ｃ，Ｍの弁体（ダイヤフラム）のメンテナンスを対象としていることを提示（表示）するようにすれば、弁体のダイヤフラムのメンテナンスの必要性についての知識が乏しいオペレータに対して、弁体のダイヤフラムへの着目の必要性を定量的に示すことになるので、弁体のダイヤフラムのチェック漏れが発生する危険性を低減することができる。
【００３７】
診断指標算出部３で算出された診断指標Ｓ（ＳA，ＳC，ＳM）は判定部５へも送られる。閾値記憶部６には、診断指標Ｓに対する正常範囲の下限値が診断指標閾値Ｓｔｈとして記憶されている。判定部５は、診断指標算出部３から診断指標Ｓが送られてくると、閾値記憶部６に記憶されている診断指標閾値Ｓｔｈを読み出し（ステップＳ２０７）、診断指標算出部３からの診断指標Ｓと診断指標閾値Ｓｔｈとを比較する（ステップＳ２０８）。この場合、診断指標算出部３からの診断指標ＳA，ＳC，ＳMのそれぞれについて、診断指標閾値Ｓｔｈと比較する。
【００３８】
ここで、判定部５は、診断指標算出部３からの診断指標Ｓが診断指標閾値Ｓｔｈ以下であった場合（ステップＳ２０８のＹＥＳ）、そのバルブをメンテナンスが必要なバルブであると判定する（ステップＳ２０９）。例えば、診断指標ＳA，ＳC，ＳMの内、診断指標ＳMが診断指標閾値Ｓｔｈ以下であった場合、バルブＭをメンテナンスが必要なバルブであると判定する。判定部５は、この判定結果を判定結果提示部７へ送る。
【００３９】
判定結果提示部７は、判定部５からの判定結果をオペレータに提示する（ステップＳ２１０）。例えば、メンテナンスの候補のバルブＡ，Ｃ，ＭのうちバルブＭがメンテナンスが必要なバルブと判定された場合、図６に示された診断指標の提示領域＃１において、バルブＭのバルブＩＤおよび診断指標ＳMを赤色で表示する。この場合、それ以外のバルブについては、黒色で表示される。この際、診断指標の提示領域＃１に、判定の際に用いた診断指標閾値Ｓｔｈを表示するようにしてもよい。
【００４０】
なお、この実施の形態では、メンテナンスの候補のバルブの診断指標やメンテナンスが必要なバルブであるか否かの判定結果をディスプレイに表示するようにしたが、プリンタなどで打ち出してもよく、音声で知らせるようにしたりしてもよい。
【００４１】
また、この実施の形態では、診断指標算出部３において、メンテナンスの候補のバルブ（バルブＡ，Ｃ，Ｍ）についてのみ診断指標Ｓを算出するようにしたが、計測対象のバルブの全て（バルブＡ〜Ｚ）について診断指標Ｓを算出するようにしてもよい。この場合、診断指標提示部４において、計測対象の全てのバルブのバルブＩＤと診断指標とを対応づけて、例えば、メンテナンスの候補のバルブについては青色で、メンテナンスの候補でないバルブについては黒色で、メンテナンスが必要と判定されたバルブについては赤色でというように、それぞれを区別して表示させるようにする。
【００４２】
また、本実施の形態では、第１規定時間Ｔ１を例えば３０秒とし、第２規定時間を例えば翌日までの時間としたが、これらの時間は弁体のダイヤフラムのゴム系材料に依存して異なる時間として必要になるものであり、どちらも実験的に予め求めるようにすればよい。
【００４３】
〔実施の形態２〕
次に、本発明の実施の形態２に係るバルブメンテナンス支援装置について説明する。実施の形態２は、実施の形態１の実装例を説明するものである。図７はプラントとその機器管理システムの構成を示す図であり、図４と同一の構成には同一の符号を付してある。
【００４４】
石油、化学系のプラントには、そのプラントの各機器を制御・管理する機器管理システム８が設けられている。実施の形態１で説明した計測値データ記憶部１，バルブＩＤ記憶部２、診断指標算出部３、判定部５、閾値記憶部６については、プラント固有の膨大な情報を扱うので、機器管理システム８側に実装されることが好ましい。
【００４５】
一方、診断指標提示部４、判定結果提示部７については、原則的にバルブのメンテナンス判断時に特に必要な処理を提供するものである。また、メンテナンス実施者（メンテナンス受託企業の作業担当者）は、プラントオーナ企業から委託されてプラントのメンテナンスを実施するのが一般的である。したがって、不特定多数のプラントを対象にすることを想定して、メンテナンス受託企業の作業担当者（オペレータ）が持ち歩く携帯型のコンピュータ９に、診断指標提示部４と判定結果提示部７とを実装することが好ましい。
【００４６】
コンピュータ９は、ＣＰＵ（Central Processing Unit）とメモリとインタフェースとを備えている。プラントの機器管理システム８とコンピュータ９とは、メンテナンス作業実施時にイーサネット（登録商標）などの通信機能を利用して一時的に接続される。
【００４７】
オペレータがコンピュータ９上のアプリケーションソフトウエアを起動すると、コンピュータ９のＣＰＵは、メモリに格納されたプログラムに従って処理を実行し、機器管理システム８に診断指標の算出指示を送り、機器管理システム８に登録されているメンテナンスの候補のバルブについて、その診断指標の算出およびメンテナンスが必要か否かの判定を行わせる。この機器管理システム８で算出されたメンテナンスの候補のバルブの診断指標およびメンテナンスが必要が否かの判定結果はコンピュータ９のディスプレイに表示される。
【００４８】
なお、この例では、機器管理システム８に既にメンテナンスの候補のバルブが登録されているものとしているが、このメンテナンスの候補のバルブの登録や変更はコンピュータ９よりオペレータが行うことも可能である。
【００４９】
オペレータは、コンピュータ９のディスプレイに表示されたメンテナンスの候補のバルブの診断指標およびメンテナンスが必要が否かの判定結果に基づき、特にダイヤフラム弁の弁体（ダイヤフラム）の点検に留意すべきバルブを確認する。確認したら、オペレータは、コンピュータ９と機器管理システム８との接続を解除する。
【００５０】
このようにして、実施の形態１で説明したバルブメンテナンス支援装置２００を実際のプラントに適用することができる。
【００５１】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００５２】
１…計測値データ記憶部、２…バルブＩＤ記憶部、３…診断指標算出部、４…診断指標提示部、５…判定部、６…閾値記憶部、７…判定結果提示部、２１…開度計測部、１００（１００−１〜１００−Ｎ）…バルブ、１０１…バルブ本体、１０２…ポジショナ、１０３…操作器、１０３ａ…ダイヤフラム（操作器のダイヤフラム）、１０３ｂ…スプリング、１０４…弁軸、１０５’…ダイヤフラム（弁体のダイヤフラム）、２００…バルブメンテナンス支援装置。
【図１】
2019046028.tif 000003
【図２】
2019046028.tif 000004
【図３】
2019046028.tif 000005
【図４】
2019046028.tif 000006
【図５】
2019046028.tif 000007
【図６】
2019046028.tif 000008
【図７】
2019046028.tif 000009
【図８】
2019046028.tif 000010
【図９】
2019046028.tif 000011